(57)【要約】【課題】平版印刷原版に永久撓み変形を生じさせることなく、その包装体を斜めに立て掛けて安定した状態で保管できる平版印刷原版の保管庫を提供することである。【解決手段】上下各段の仕切り板３を同じ方向へ斜めに傾斜させて、平版印刷原版の包装体Ｃを斜めに傾斜させた仕切り板３に沿わせて立て掛けるようにし、上段と下段の仕切り板３を互いに逆方向へ傾斜させることにより、平版印刷原版に永久撓み変形を生じさせることなく、かつ、保管庫１が横転する恐れもなく、平版印刷原版の包装体Ｃを斜めに立て掛けて安定した状態で保管できるようにした。【選択図】図１
2010064337.tif 000002
【特許請求の範囲】
【請求項１】
直方体形状の箱体の内部を棚板で上下に複数段に分割して、この複数段に分割した各段上を仕切り板で区分し、この仕切り板で区分された各段上に、複数枚の平版印刷原版を重ねて包装した平版印刷原版の包装体を立てて保管する平版印刷原版の保管庫において、前記各段毎の仕切り板を同じ方向へ斜めに傾斜させて、前記平版印刷原版の包装体をこの斜めに傾斜させた仕切り板に沿わせて立て掛けるようにし、少なくとも１つ段の前記仕切り板を、他の段の仕切り板と逆方向へ傾斜させたことを特徴とする平版印刷原版の保管庫。
【請求項２】
前記仕切り板で区分された各段の上面を、前記仕切り板と直角に傾斜させた請求項１に記載の平版印刷原版の保管庫。
【請求項３】
前記仕切り板と直角に傾斜させた各段の上面を、各段上に載置される別体のテーパ板で形成した請求項２に記載の平版印刷原版の保管庫。
【請求項４】
前記仕切り板を着脱可能とし、その取り付け位置を変更可能とした請求項１または２に記載の平版印刷原版の保管庫。
【請求項５】
前記仕切り板と直角に傾斜させた棚板の上面を、各段上に載置される別体のテーパ板で形成し、このテーパ板を前記仕切り板と一体に形成した請求項４に記載の平版印刷原版の保管庫。
【請求項６】
前記棚板を着脱可能とし、その取り付け高さ位置を変更可能とした請求項１乃至５のいずれかに記載の平版印刷原版の保管庫。
【発明の詳細な説明】
【技術分野】
【０００１】
本発明は、平版印刷原版の包装体を立てて保管する平版印刷原版の保管庫に関する。
【背景技術】
【０００２】
厚みが０．２〜０．３ｍｍ程度で、縦横サイズが１ｍ程度のアルミニウム支持板の表面に感光層や画像形成層を設けた平版印刷原版は、サイズや規格が同じものを３０〜５０枚程度重ねて、段ボール箱等で包装した包装体として印刷工場等に供給される（例えば、特許文献１参照）。印刷工場等では、供給された平版印刷原版の感光や汚れ等を防止するために、包装したまま保管庫等に保管して、使用時に必要なサイズと規格のものを必要枚数だけ包装体から取り出している。取り出された平版印刷原版は、プレートセッタと呼ばれる機械を使って、その感光層や画像形成層にレーザ光や紫外線で、コンピュータから送られる画像データを書き込まれるのが一般的である。
【０００３】
前記平版印刷原版の包装体の保管形態としては、包装体を積み重ねて平積みする形態と、包装体を立てて保管する形態が採用されている。包装体を立てて保管する場合は、包装体が倒れるのを防止するために、１段または複数段の段上を仕切り板で仕切った直方体形状の保管庫を用いることが多く、包装体を保管庫の側壁や仕切り板に斜めに立て掛けている。
【０００４】
【特許文献１】特開２００１−１７１２５３号公報
【発明の開示】
【発明が解決しようとする課題】
【０００５】
上述した平版印刷原版の包装体を平積みする保管形態は、平版印刷原版が変形しないように安定して保管できるが、異なるサイズや規格のものを別々の山に平積みすることになるので、縦横サイズの大きな包装体の保管に広い保管場所を必要とする問題がある。また、平版印刷原版には使用期限があり、先に入荷したものを先に使用する先入れ先出しをすることが望ましいが、平積みでは先に入荷したものが下になるので、先入れ先出しが困難になる問題もある。
【０００６】
一方、平版印刷原版の包装体を立てて保管する形態は、異なるサイズや規格の包装体を狭いスペースで保管庫に保管でき、先入れ先出しも容易であるが、側壁や仕切り板に斜めに立て掛けた包装体に包装された薄い平版印刷原版に、自重で永久撓み変形が生じる問題がある。このような永久撓み変形が生じた平版印刷原版は、プレートセッタで画像データを書き込む際に、版送りトラブル等の原因となる。
【０００７】
また、平版印刷原版を３０〜５０枚程度重ねた包装体の重量は１５〜２５ｋｇ程度となり、多数の包装体を保管庫の側壁や仕切り板に同じ方向へ斜めに立て掛けると、側壁や仕切り板に作用する大きなモーメント荷重によって、保管庫が横転する恐れもある。
【０００８】
そこで、本発明の課題は、平版印刷原版に永久撓み変形を生じさせることなく、その包装体を斜めに立て掛けて安定した状態で保管できる平版印刷原版の保管庫を提供することである。
【課題を解決するための手段】
【０００９】
上記の課題を解決するために、本発明は、直方体形状の箱体の内部を棚板で上下に複数段に分割して、この複数段に分割した各段上を仕切り板で区分し、この仕切り板で区分された各段上に、複数枚の平版印刷原版を重ねて包装した平版印刷原版の包装体を立てて保管する平版印刷原版の保管庫において、前記各段毎の仕切り板を同じ方向へ斜めに傾斜させて、前記平版印刷原版の包装体をこの斜めに傾斜させた仕切り板に沿わせて立て掛けるようにし、少なくとも１つ段の前記仕切り板を、他の段の仕切り板と逆方向へ傾斜させた構成を採用した。
【００１０】
すなわち、各段毎の仕切り板を同じ方向へ斜めに傾斜させて、平版印刷原版の包装体をこの斜めに傾斜させた仕切り板に沿わせて立て掛けるようにし、少なくとも１つ段の仕切り板を、他の段の仕切り板と逆方向へ傾斜させることにより、平版印刷原版に永久撓み変形を生じさせることなく、かつ、保管庫が横転する恐れもなく、平版印刷原版の包装体を斜めに立て掛けて安定した状態で保管できるようにした。
【００１１】
前記仕切り板で区分された各段の上面を、前記仕切り板と直角に傾斜させることにより、包装された平版印刷原版同士のずれを防止し、その表面にすり疵が発生しないようにするとともに、包装体の形態を良好に保持することができる。
【００１２】
前記仕切り板と直角に傾斜させた各段の上面を、各段上に載置される別体のテーパ板で形成することにより、各段の上面を容易に傾斜させることができる。
【００１３】
前記仕切り板を着脱可能とし、その取り付け位置を変更可能とすることにより、サイズや規格の異なる平版印刷原版の包装体の数量に応じて、各段上を効率よく区分することができる。
【００１４】
前記仕切り板と直角に傾斜させた棚板の上面を、各段上に載置される別体のテーパ板で形成し、このテーパ板を前記仕切り板と一体に形成することにより、各段上の区分の変更を容易に行うことができる。
【００１５】
前記棚板を着脱可能とし、その取り付け高さ位置を変更可能とすることにより、包装体のサイズに応じて各段の高さを変更し、包装体を効率よく保管することができる。
【発明の効果】
【００１６】
本発明の平版印刷原版の保管庫は、各段毎の仕切り板を同じ方向へ斜めに傾斜させて、平版印刷原版の包装体をこの斜めに傾斜させた仕切り板に沿わせて立て掛けるようにし、少なくとも１つ段の仕切り板を、他の段の仕切り板と逆方向へ傾斜させたので、平版印刷原版に永久撓み変形を生じさせることなく、かつ、保管庫が横転する恐れもなく、平版印刷原版の包装体を斜めに立て掛けて安定した状態で保管することができる。
【発明を実施するための最良の形態】
【００１７】
以下、図面に基づき、本発明の実施形態を説明する。この平版印刷原版の保管庫１は、図４に示すような、複数枚の平版印刷原版Ａを重ねて段ボール箱Ｂで包装した包装体Ｃを立てて保管するものであり、図１に示すように、直方体形状の箱体の内部が棚板２で上下に２段に分割され、各段上が複数の仕切り板３で区分されており、各区分毎に同じサイズと規格の平版印刷原版Ａの包装体Ｃが、各仕切り板３に斜めに立て掛けて保管されている。
【００１８】
前記棚板２は着脱可能とされ、保管庫１の側壁１ａに止めねじ４ａでその取り付け高さ位置を変更可能とされている。図１の状態では、下段の高さを上段よりも少し高くするように、棚板２が取り付けられており、下段にサイズの大きい包装体Ｃが保管され、上段に比較的サイズの小さい包装体Ｃが保管されている。なお、一部の区分は、予備用に空けられている。
【００１９】
前記各仕切り板３は等しい傾斜角で傾斜し、上段と下段の各仕切り板３は互いに逆方向へ傾斜しており、上段と下段に保管された包装体Ｃは、互いに逆向きに傾斜するように各仕切り板３に沿わせて立て掛けられている。したがって、包装された平版印刷原版Ａに永久撓み変形が生じる恐れはない。また、上段と下段では、包装体Ｃから各仕切り板３を介して保管庫１に作用するモーメント荷重が互いに逆向きとなって相殺されるので、保管庫１が横転する恐れもない。
【００２０】
図２および図３に示すように、前記上段と下段の各仕切り板３は着脱可能とされ、上端部の屈曲部３ａを止めねじ４ｂで保管庫１の天井１ｂまたは棚板２に係止して、その取り付け位置を変更可能とされている。また、各仕切り板３の下端部には、上面が仕切り板３と直角に傾斜し、各段上に載置されたテーパ板５が一体に設けられている。したがって、各仕切り板３に沿わされた包装体Ｃの下端は、テーパ板５の上面で仕切り板３と直角に保持され、包装された平版印刷原版Ａ同士のずれが防止される。
【００２１】
図１に示したように、前記各段上に載置された複数のテーパ板５は、一端側に載置された単体のテーパ板５ａによって各段上での互いの隙間を詰められ、これらのテーパ板５と一体に形成された仕切り板３の下端側が固定されている。なお、仕切り板３の取り付け位置を変更する場合は、途中にも単体のテーパ板５ａを介在させるか、テーパ板５の長さが異なる仕切り板３が用いられる。
【００２２】
上述した実施形態では、保管庫の段数を２段としたが、保管庫の段数は３段以上とすることもでき、例えば、段数を３段とする場合は、包装体からのモーメント荷重が最も大きくなる上段の仕切り板の傾斜を、中段と下段の仕切り板の傾斜と逆向きにするとよい。
【００２３】
また、上述した実施形態では、仕切り板にテーパ板を一体に設けたが、仕切り板とテーパ板とを別体とし、仕切り板の下端部やテーパ板を止めねじ等で各段上に固定するようにしてもよい。
【図面の簡単な説明】
【００２４】
【図１】平版印刷原版の保管庫の実施形態を示す正面図
【図２】図１の保管庫の上段の一部を拡大して示す正面図
【図３】図１の保管庫の下段の一部を拡大して示す正面図
【図４】平版印刷原版の包装体を示す切欠き正面図
【符号の説明】
【００２５】
Ａ  平版印刷原版
Ｂ  段ボール箱
Ｃ  包装体
１  保管庫
１ａ  側壁
１ｂ  天井
２  棚板
３  仕切り板
３ａ  屈曲部
４ａ、４ｂ  止めねじ
５、５ａ  テーパ板
【図１】
2010064337.tif 000003
【図２】
2010064337.tif 000004
【図３】
2010064337.tif 000005
【図４】
2010064337.tif 000006